(57)【特許請求の範囲】
【請求項１】
インタフェース装置であって、
プログラマブル自動コントローラのようなプロセッサユニットに接続されるように構成された平板状のプリント回路基板（３０）と、
対向する一対のフランジ（２２）を有し、それらに一対の縦溝（２２a 、２３a ）を形成し、これらの一対の縦溝によって前記プリント回路基板を支持する、細長いチャネル状のベース（２０）と、
複数のモジュール（５１）と複数の端子ブロック（６１）とを備え、前記プリント回路基板（３０）に取り付けられ、前記プロセッサユニットによって操作又は制御され、他の電気装置に接続される、モジュラーインタフェースユニット（５０）と、
を備え、
前記モジュラーインタフェースユニット（５０）の長さは、前記モジュール（５１）の長さに等しいかあるいは整数倍であり、各前記モジュール（５１）は、個別のピッチ（ｅ１）でベース（２０）の長さ方向に配置された複数の表示開口（５２）及び又は複数のテスト／アクセス開口（５５ａ，５５ｂ）を備え、
前記複数のモジュール（５１）は、それぞれの側面上に、前記プリント回路基板（３０）の面（ｐ）に垂直に向く、互いに係合する相補の溝および突起（５１i 、５１j ）を有し、それらの溝と突起とを係合させて一体に組み立てた、
ことを特徴とするインタフェース装置。
【請求項２】
前記モジュール（５１）の長さは、表示開口（５２）またはテスト／アクセス開口（５５ａ，５５ｂ）のピッチの４倍あるいは８倍であることを特徴とする請求項１に記載のインタフェース装置。
【請求項３】
前記モジュール（５１）は、光導ロッド（５３ａ）を収容する複数の通路（５３）を有し、前記各通路（５３）の両端は、それぞれ、前記表示開口（５２）と、前記プリント回路基板上の発光ダイオード（３４）と、に対向している、ことを特徴とする請求項１に記載のインタフェース装置。
【請求項４】
前記モジュール（５１）は、前記テスト／アクセス開口（５５ａ，５５ｂ）から電気的にアクセス可能な、プリント回路基板に装着された導電性部材（５５d ）を、備えたことを特徴とする請求項１に記載のインタフェース装置。
【請求項５】
前記複数のモジュール（５１）と前記複数の端子ブロック（６１）とは、前記プリント回路基板（３０）の面（ｐ）に垂直な向きの、前記端子ブロック（６１）と前記モジュール（５１）の一方に設けた突状体（６２）と他方に設けたそれと係合する溝（５１k）と、によって取り外し可能に固定されており、さらに前記複数の端子ブロック（６１）の前面は前記複数のモジュール（５１）の前面よりも後退していることを特徴とする請求項４に記載のインタフェース装置。
【請求項６】
前記プリント回路基板（３０）は幅方向の一端に、長さ方向に沿って規則正しい間隔で並ぶ複数のノッチ（３５ ）を有し、前記モジュール（５１）は前記ノッチ（３５ ）に係合する複数の位置決めフック（５１ｌ）を備え、且つ、前記モジュール（５１）は前記ベース（２０）のチャネル状の溝２２ａに収容され、この状態で前記モジュール（５１）の天面が前記ベース（２０）の一方のフランジ（２２）のスタンド（２７）の内面で止められていることを特徴とする請求項１に記載のインタフェース装置。
【請求項７】
前記プリント回路基板（３０）の表面にリレー等のコンポーネント（３５）が突出した状態に設けられており、前記モジュール（５１）は、前記プリント回路基板（３０）に向かい合う裏面側に、前記コンポーネント（３５）を収納する開口（５１n ）を有し、その開口（５１n ）を一対の脚部で挟む、Ｕ字状に形成されていることを特徴とする請求項１に記載のインタフェース装置。
【請求項８】
前記モジュール（５１）は、表示開口（５２）の列およびテスト／アクセス開口（５５ａ，５５ｂ）の列の間に、前記モジュール（５１）の全てに共通な長いカバー（７０）を受けるための、前記プリント回路基板（３０）の方向に凹まされた中央部（５１g ）を有することを特徴とする請求項１に記載のインタフェース装置。
【請求項９】
前記共通カバー（７０）の一端は、複数の前記モジュール（５１）によって構成される前記モジュラーインタフェースユニット（５０）の両端のうちの一端に位置する前記モジュール（５１）の外側の端面にピボット（４８）で回動自在に取り付けられ、且つ、
前記共通カバー（７０）は、前記モジュール（５１）に規則正しい間隔で設
けられた開口（５１h ）に挿入係合する複数の突起（７１）を有する、
ことを特徴とする請求項８に記載のインタフェース装置。
【請求項１０】
前記モジュラーインタフェースユニット（５０）の両端のうちの他端側に電源ユニット（４０）が位置し、この電源ユニット（４０）はプリント回路基板（３０）に取り付けられており、この電源ユニット（４０）の内側の側面上に、隣接する前記モジュール（５１）における第１係合要素（５１ｉ）と係合する、第２係合要素（４９）を有し、前記第１及び第２係合要素（５１ｉ、４９）はプリント回路基板（３０）の面（ｐ）に垂直な向きのものである、ことを特徴とする請求項１に記載のインタフェース装置。
【発明の詳細な説明】
【０００１】
【発明の属する技術分野】
この発明はプロセッサユニットに接続できるプリント回路基板を有するタイプのインタフェース装置に係り、例えば、プログラマブル自動コントローラプロセッサユニットと、基板を受けるように長い溝を有する細長いベースと、基板に装着されコンポウネントあるいは回路のようなインタフェース部およびプロセッサユニットにより作動させられあるいは制御させられように電気装置に接続できる基板に装着された少なくとも１つの端子ブロックとを備えたインタフェース装置に関する。
【０００２】
【従来の技術および発明が解決しようとする課題】
従来、このタイプのインタフェース装置ではインタフェースコンポウネントあるいはサブシステム、例えば、リレー、リレーソケット、プロセッサ回路、その他（活動ユニット）と、表示LED 、フューズまたは回路開閉器（受動ユニット）とが適用毎に多くの形状の基板に装着される。これらの装置は、需要者の要求に対応して多くの形のものが製造され、一のフォーマットがベースおよび基板に適用されたとしても、この多様化により多数の製品の製造および在庫管理が予想される。他方、このタイプのインタフェース装置は単一のモノブロックモジュールあるいは少ないモノブロックモジュールから組み立てられ、端子ブロックおよび表示LED を集積するものであっても、その範囲は必要に応じて厳しく数種に制限されるが結末は需要者の要求に全て応うじて備えることが不可能になる。
【０００３】
本発明の目的は上記インタフェース装置の範囲において頑丈であることが保証される組立体と結合し、製造および在庫管理が大変に簡単で適用の多様化に調和させることにである。
【０００４】
【課題を解決するための手段】
本発明によればインタフェース装置は長さがモジュールに等しいかあるいは整数倍である分離モジュールに内蔵され、各モジュールは表示開口あるいは端子作動開口のストリップが別々のピッチでベースの長さ方向に配置されるように構成されている。モジュールはそれとともに組み立てるためにその側面上に補助溝および突起が頑丈な組立体を形成するように基板の平面に垂直に向けられるようになっている。
【０００５】
これは互いに、かつ、ベース、基板の組立体に対するモジュールの徹底した提案および頑丈な組立体を統合する機能モジュールの構成を大変に弾力性のあるものとする。この強さは基板の端のモジューの相互作用により増大させることができる。このモジューはさらに端子ピッチの４倍あるいは８倍の長さである。
【０００６】
このモジューはさらに表示開口のストリップと協同し、発光導体、端子の第１列にアクセスする開口のストリップおよび２つのストリップの間で全てのモジューに共通な縦カバー、好ましくは回動カバーを受ける凹んだ中央部分に関連させられている。
【０００７】
ある場合には、この組立体は基板の縦端部に沿い規則正しい間隔に備えられたノッチに係合するようにされたモジュールの後部に配置されたフックによりさらに頑丈に作ることができるとともに、基板の端部に収容するベースの溝に近接するベースの縦の直立のスタッドにより全面方向の引き抜き力に抗して止められている。
【０００８】
本発明のインタフェース装置はプログラマブル自動コントローラのようなプロセッサユニットに接続されるうように適用されたプリント回路基板と、この基板を受けるよう縦溝を有する延長ベースと、プロセッサユニットにより作動させられあるいは制御させられる電気装置に端子ブロックにより接続された活動あるいは受動インタフェース部と、基板に装着されているインタフェース部および端子ブロックとから構成し、インタフェース部は長さがモジュールに等しいかあるいは整数倍である分離モジュールの内部に内蔵され、各モジュールが別々のピッチでベースの縦部に配置された表示開口あるいは端子活動開口のストリップを備え、モジュールはそれらとともに組み立てるための頑丈な組立体を形成するように基板の面に垂直に向けられた側表面補助溝および突起を有することを特徴とするインタフェース装置を提供するものである。
【０００９】
【発明の実施の形態】
図１、２および６に示すインタフェース装置１０は方向ＸーＸ´に沿って延びる細長いベース２０、ベースに収容された通常平面Ｐを備えたプリント回路基板３０、その長さに沿って、電源ユニット４０および共通前面カバー７０とともに基板３０に装着された複数のモジュラーインタフェースユニット５０とから構成している。
【００１０】
ベース２０は好ましくは必要とされたモジュラーユニット数に一致する必要とされた長さに押し出されて切断された合成樹脂材料性Ｕ字状の断面要素である。これは同様によくモールド樹脂で作られることができおよびまたは金属から作られることができる。
【００１１】
ベースはプレートＰに平行なコア２１、頂部フランジ２２および底部フランジ２３を有している。フランジ２２、２３はコアーから前面の方向に突出するとともに方向ＸーＸ´に向けられ基板３０が摺動する対向溝２２a 、２３a を備えている。コアのフランジの結合部の近にはベースに横方向の閉プレート２５、２６をネジで止めるための孔２４が設けられている。溝２２a 、２３a は直立のスタンド２７によって前の方向に配設されている。ベースの後部は記述される必要がないような手段により例えば規格に合わせて形成された支持要素に取り付けることができる。
【００１２】
一端においてプリント回路基板３０は、例えば、プログラマブル自動コントローラのようなプロセッサユニットを接続する多重ピンコネクタ３１およびリード線あるいは表示器のピン、リレー、プロセッサ、あるものが電源ニット４０（孔３２）に分配され他のものがインタフェースユニット５０（孔３３）にグループとして分配される端子素子を受ける孔３２、３３を備えている。
【００１３】
インタフェースユニット５０を支持する孔３３は多数の列に配置され、各列においては、別々のピッチｅ1 により規則正しく離間されている。これらの列は発光ダイオード３４の接続リード線を受ける頂部列３３a と、例えば、フューズあるいは回路開閉器、耐久線（すなわち、プラグインではない）リレー３５あるいはプロセッサ回路のような受動あるいは稼動の接続リード線を受ける中間部列３３b およびモジューラー端子ブロックの導電部の接続リード線を集積して受け、すなわち、インタフェースユニットに取り付けられる底部列３３c とから構成されている。
【００１４】
電源ユニット４０はコネクタ３１のための開口４３があるフランジ４２、電源、フューズ４６c のための前面開口４６a 、４６b および回路開閉器４６d （図３参照）に接続するための上部および下部４４、４５を備えたモジュール４１を構成している。モジュール４１の前面の中央領域４７は回動するカバー７０を収容するために端子４４および４５を含む部分に関連して凹まされている。モジュール４１の側部にはカバーが枢着されるピボット４８が備えられている。電源ユニット４０の隣接するインタフェースユニット５０a の側には基板のプレートＰに対して直角方向ＹーＹ´に向けられ隣接インタフェース５０a の補助溝に協同しそれらを丈夫に取り付ける断面鳩尾状リブ４９を有する側壁４０a を備えている。
【００１５】
この実施例ではモジュラーインタフェースユニット５０a 、５０b 等は前面で閉じられている。各々は耐久線（すなわち、プラグインではない）コンポーネント、リレー、プロセッサ回路等のグループのための中央内部スペース５１f を規定する前面５１a 、頂面５１b 、底面５１c および側面５１d 、５１e を有する。
【００１６】
ユニット５０は、ある意味で、例えば、端子のピッチの４から８倍で長さｌが個々のモジュールに等しいかあるいは整数倍であり、この長さは制御される自動装置の通路数に釣り合わされている。
【００１７】
前面５１a はその上部において後で見るように開口５２および同じ多数の発光ダイオードに対向するそれぞれの端部に対し方向ＹーＹ´に向けられた発光導電性ロッド５３a を内蔵する規則正しいピッチｅ1 をもった直線状のストリップおよび通路５３を有する。
【００１８】
その下方部において前面５１a は方向ＹーＹ´に並べられた開口のストリップ、すなわち、ピッチｅ1 をもった端子５５の第１系列のためのテスト開口５５a の列およびアクセス開口５５b の列を有する。各々の端子５５は開口５５b に挿入されたドライバーにより回すことができるネジ５５c および開口５５a を介してテストするためにアクセスできる電気導電性素子５５d を有する。この電気導電性素子５５d は基板３０の中の孔３３c 中に装着された接続リード線５５e により後部方向に延ばされている。発光導線ロッド５３a および電気導電素子５５d のためのハウジングは水平壁５６、５７によりモヅュールの内部空間５１f から離されている。
【００１９】
端子５５の第１列に接続される導体を挿入するための孔５５f の後部にはモジュール５１の底面５１c の下側に関係したモジュール５１と同じ長さのモジュラー端子ブロック６１の形の端子６０の第２列が備えられている。端子ブロック６１は、モジュール５１から分けられ、頂表面に備えられモジュールの底面５１c の溝５１k に協同するリブ６２により、モジュール５１に移動自在に取り付けられ、端子５５の列から凹まされている。リブおよび溝は鳩尾形であり基板の面Ｐに対し直角に向けられている。各端子６０はネジ６０c をアクセスするように備えた開口６０b と、基板の孔３３c に固着された接続リード線６０e により後部に選択的に延ばされている導電要素６０d と、導体を挿入するための開口６０f とを備えている。端子ブロック６１は単一電位を分配するように使用されることができ、それが必要がなければ、同じサイズのダミー端子ブロックを取り付けることができる。
【００２０】
前面５１a の中央部には、すなわち、表示開口のストリップを備えた頂部と端子５５の第１列にアクセスするために備えた開口５５a 、５５b のストリップを備えた底部との間に中央凹部５１g がある。この凹部の深さは前面Ｑが前面５１a の頂部および底部のレベルにあるような方法で回動カバー７０を収容するに十分なものである。中央凹部５１g の底部はカバーの切り取り突起あるいは他の部分７１を受ける凹部５１h を有する。モジュール５１は、通常、Ｕ字状に形成され、その分岐部はダイオード、その発光導線、端子の導電素子を夫々内蔵しており、それゆえ、そのコアは前面パネル部として寄与し、共通カバーの容器を形成し、インタフェース部の内部空間を保護する。モジュール５１の側壁５１d 、５１e はコンポーネント、例えば、リレー３５の全寸法に適合する開口５１n を有し、これらのリレーの外側壁が壁５１d 、５１e の外側面と同一平面としてある。
【００２１】
各インタフェースモジュール５１は１側面５１d の２つの鳩尾状溝５１i および反対側面５１e の２つの対応する鳩尾状リブ５１j を有し、それゆえ、種々なモジュール５１はリード線が要求された装置を形成するようにプリント回路の孔３３b 、３３c に溶接される前に方向ＹーＹ´に係合させることにより頑丈な方法で一緒に組み立てることができる。
【００２２】
カバー７０はいずれもここに示すように電源モジュール４１の一側面上および一側プレート２６上あるいは２つの端部モジュール５１a の側面上のインタフェース部の端部にピボット４８により結合される。
【００２３】
カバーは不透明あるいは透明にすることができるとともに使用者に対する固有の同等な表示を支持し、しかも、モジュール５１a の前表面の凹み部５１g は電気回路の線図を支持する。
【００２４】
インタフェース装置のある変形において、特に、頂部での表示装置および底部での端子ブロックを含む受動変形では、モジュールがベースに組み付けられる強さを増大することが望まれている。この目的のため、モジュール５１a はｅ1 の倍数にある規則正しい間隔e 2 の後部突起あるいはフック５１１を有する。同様に、ピッチe 2 でノッチ３５が基板３０の頂端に備えられている。フック５１e はノッチ３５の間に位置し、ノッチ間を通過するように形成されるとともに、モジュール５１a の後面との間にスペース５１m が形成されそのスペース５１m 内にベースのフランジ２２の立上がりタンド２７が係合するようにしてある。この方法によりインタフェースユニット５０の頂部は溶接されるユニットが固着される基板３０がベースの溝２２a 、２３a 内部に摺動させられた後にベース２０に頑丈に止められる。
【図面の簡単な説明】
【図１】本発明のインタフェース装置の斜視図である。
【図２】インタフェース装置の展開図である。
【図３】電源ユニットの斜視図である。
【図４】インタフェースモジュールの斜視図である。
【図５】モジューラ付加端子ブロックの斜視図である。
【図６】線VI−VI上の断面によるインタフェース装置の立面図である。
【符号の説明】
１０  インタフェース装置
２０  ベース
２１  コア
２２  頂部フランジ
２３  底部フランジ
２４  孔
２５、２６  プレート
２７  スタンド
３０  プリント回路基板
３１  多重ピンコネクタ
３２、３３  孔
３４  発光ダイオード
３５  リレー
４０  電源ユニット
４１  モジュール
４２  フランジ
４３  開口
４４、４５  底部
４７  中央領域
４８  ピボット
４９  鳩尾状リブ
５０  モジュラーインタフェースユニット
５２  開口
５３  通路
５５、６０  端子
６１  モジュラー端子ブロック
６２  リブ
７０  カバー
【図１】
0003933720.tif 000002
【図２】
0003933720.tif 000003
【図３】
0003933720.tif 000004
【図４】
0003933720.tif 000005
【図５】
0003933720.tif 000006
【図６】
0003933720.tif 000007